(57)【要約】【課題】ブラシが抜け難く耐久性に優れた化粧料塗布具を提供する【解決手段】本発明は、マスカラを掬い取って塗布するブラシ110と、このブラシ110を先端で保持固定する合成樹脂製のシャフトと、このシャフトの後端に繋がり使用者が掴み持つ把持部とを備えるマスカラ塗布具において、ブラシ110は、金属製の軸部分111で保持され、この軸部分111は、その軸線Ｏ1に沿った縦溝Ｇ1と、縦溝Ｇ1を横切る横溝Ｇ2とを備え、シャフトに、その先端に開口された内部通路を設け、この内部通路に、軸部分111を挿入すると同時に内部通路を溶融・凝固させて軸部分111を固定保持してなる。【選択図】図３
2005177075.tif 000002
【特許請求の範囲】
【請求項１】
化粧料を掬い取って塗布するブラシと、このブラシを先端で保持固定する合成樹脂製のシャフトと、このシャフトの後端に繋がり使用者が掴み持つ把持部とを備える化粧料塗布具において、
前記ブラシは、金属製の軸部分で保持され、この軸部分は、その軸線に沿った少なくとも１つの縦リブ又は縦溝と、当該縦リブ又は縦溝を横切る少なくとも１つの横リブ又は横溝とを備え、前記シャフトに、その先端に開口された内部通路を設け、この内部通路に、前記軸部分を挿入すると同時に該内部通路を溶融・凝固させて前記軸部分を固定保持してなることを特徴とする化粧料塗布具。
【請求項２】
化粧料を掬い取って塗布するブラシと、このブラシを先端で保持固定する合成樹脂製のシャフトと、このシャフトの後端に繋がり使用者が掴み持つ把持部とを備える化粧料塗布具において、
前記ブラシは、金属製の軸部分で保持され、この軸部分は、その軸線に対してくの字状に曲がった少なくとも１つの曲げ部分を備え、前記シャフトに、その先端に開口された内部通路を設け、この内部通路に、前記軸部分を挿入すると同時に該内部通路を溶融・凝固させて前記軸部分を固定保持してなることを特徴とする化粧料塗布具。
【請求項３】
前記軸部分は、その断面形状が扁平な断面形状である請求項１または２に記載の化粧料塗布具。
【発明の詳細な説明】
【技術分野】
【０００１】
本発明は、化粧料を掬い取って塗布するブラシと、このブラシを先端で保持固定する合成樹脂製のシャフトと、このシャフトの後端に繋がり使用者が掴み持つ把持部とを備える化粧料塗布具に関するものである。
【背景技術】
【０００２】
化粧料塗布具には、１つのワイヤーを折り曲げてその相互間に複数の針状突起を挟み込み、その重なり合ったワイヤーを撚り合わせてブラシの軸部分とすると共に、合成樹脂製のシャフトに、その先端に開口される内部通路を設け、この内部通路に、加熱した前記軸部分を挿入して当該内部通路を溶融・凝固させて前記軸部分を固定保持してなるものがある（例えば、特許文献１参照。）。
【０００３】
【特許文献１】実開昭６２−２６３１号公報
【発明の開示】
【発明が解決しようとする課題】
【０００４】
しかしながら、こうした従来の化粧料塗布具にあっては、撚り合わせにより生じた螺旋状の僅かな窪みに溶融した樹脂を充填させてシャフトの先端にブラシを取り付けるため、ブラシを回転させる力が過度に生じた場合、ブラシが軸部分の螺旋状窪みに沿って回転してシャフトから抜け出すことが考慮される。即ち、従来技術にあってもなお、ブラシの回転による抜け出しという点に改良の余地があった。
【０００５】
本発明は、こうした事実に鑑みてなされたものであり、ブラシが抜け難く耐久性に優れた化粧料塗布具を提供することである。
【課題を解決するための手段】
【０００６】
請求項１に記載の発明は、化粧料を掬い取って塗布するブラシと、このブラシを先端で保持固定する合成樹脂製のシャフトと、このシャフトの後端に繋がり使用者が掴み持つ把持部とを備える化粧料塗布具において、前記ブラシは、金属製の軸部分で保持され、この軸部分は、その軸線に沿った少なくとも１つの縦リブ又は縦溝と、当該縦リブ又は縦溝を横切る少なくとも１つの横リブ又は横溝とを備え、前記シャフトに、その先端に開口された内部通路を設け、この内部通路に、前記軸部分を挿入すると同時に該内部通路を溶融・凝固させて前記軸部分を固定保持してなることを特徴とするものである。
【０００７】
請求項２に記載の発明は、化粧料を掬い取って塗布するブラシと、このブラシを先端で保持固定する合成樹脂製のシャフトと、このシャフトの後端に繋がり使用者が掴み持つ把持部とを備える化粧料塗布具において、前記ブラシは、金属製の軸部分で保持され、この軸部分は、その軸線に対してくの字状に曲がった少なくとも１つの曲げ部分を備え、前記シャフトに、その先端に開口された内部通路を設け、この内部通路に、前記軸部分を挿入すると同時に該内部通路を溶融・凝固させて前記軸部分を固定保持してなることを特徴とするものである。
【０００８】
請求項３に記載の発明は、請求項１または２に記載の化粧料塗布具において、前記軸部分の断面形状を扁平な断面形状とする。
【発明の効果】
【０００９】
本発明は、ブラシの軸部分に、その軸部分に沿った少なくとも１つの縦リブ又は縦溝と、当該縦リブ又は縦溝を横切る少なくとも１つの横リブ又は横溝とを設け、この軸部分をシャフトの先端に開口された内部通路に挿入すると同時に該内部通路を溶融・凝固させて前記軸部分を固定保持してなるから、ブラシの軸部分に設けた縦リブ又は縦溝がシャフトに対するブラシの回転を抑制すると共にブラシの軸部分に設けた横リブ又は横溝がブラシのシャフトからの抜けを抑制する。従って、かかる構成によれば、ブラシの回転によるシャフトからの抜け出しが生じないブラシが抜け難く耐久性に優れた化粧料塗布具を提供することができる。
【００１０】
また本発明は、ブラシの軸部分に、その軸線に対してくの字状に曲がった少なくとも１つの曲げ部分を設け、この軸部分をシャフトの先端に開口された内部通路に挿入すると同時に該内部通路を溶融・凝固させて前記軸部分を固定保持してもよい。この場合、ブラシの軸部分に設けた曲げ部分がシャフトに対するブラシの回転とブラシのシャフトからの抜けを抑制する。従って、かかる構成によっても、ブラシの回転によるシャフトからの抜け出しが生じないブラシ部が抜け難く耐久性に優れた化粧料塗布具を提供することができる。
【００１１】
さらに本発明は、ブラシの軸部分の断面形状が扁平な断面形状であることが好ましい。この場合、ブラシの軸部分がシャフトに対して一層回転しにくくなるため、さらにブラシが抜け難く耐久性に優れた化粧料塗布具を提供することができる。
【発明を実施するための最良の形態】
【００１２】
図１は、本発明の第一の実施形態であるマスカラ塗布具１００を示す正面図である。マスカラ塗布具１００は、化粧料であるマスカラを掬い取って塗布するブラシ１１０と、このブラシ１１０を先端で保持固定するシャフト１２０と、このシャフト１２０の後端に繋がり使用者が掴み持つ把持部１３０とを備える。
【００１３】
図２（ａ），（ｂ）はそれぞれ、シャフト１２０から分解したブラシ１１０の側面及びその先端を示す二面図である。ブラシ１１０は、ステンレス鋼等の金属からなる軸部分１１１を有し、その先端にナイロン等からなる複数の針状突起を四角柱状に設けてなる。
【００１４】
図３は、図２（ａ）の領域Ｘを示す要部拡大図であり、そのＡ−Ａ断面及びＢ−Ｂ断面を図４（ａ），（ｂ）それぞれに示す。軸部分１１１は、図３に示す如く、その軸線Ｏ1に沿った１つの縦溝Ｇ1と、この縦溝Ｇ1を横切る２つの横溝Ｇ2とを備え、その断面形状は、図４に示す如く、長手幅Ｗ1及び短手幅Ｗ2からなる扁平な断面形状をしてなる。
【００１５】
図５は、ブラシ１１０を取り付ける前の塗布具１００の半組立体を示す一部断面図であり、図６は、図５の領域Ｙを示す要部拡大図である。シャフト１２０は、ポリオキシメチレンやポリプロピレン等の合成樹脂からなり、その後端１２０ｂは、把持部１３０に内部嵌合して把持部１３０に一体に組み付けられている。またシャフト１２０の内部には、先端１２０ａに開口された内部通路１２１が設けられている。この内部通路１２１は、その開口１２１ａから把持部１３０に向かって先細りになる傾斜面１２２で構成されたテーパ−状の軸穴であり、図６の二点鎖線に示す如く、開口１２１ａ付近の内径が軸部分１１１の長手幅Ｗ1よりも大きく、穴底１２１ｂに向かうに従って、その内径が軸部分１１１の短手幅Ｗ2よりも小さくなっている。
【００１６】
かかる構成において、ブラシ１１０の軸部分１１１全体またはその先端を加熱してシャフト１２０の内部通路１２１に挿入すると、内部通路１２１の傾斜面１２２が溶融してその樹脂が縦溝Ｇ1及び横溝Ｇ2に流れ込んで凝固することにより軸部分１１１が固定保持される。
【００１７】
つまり、本形態は、ブラシ１１０の軸部分１１１に、その軸部分１１１に沿った縦溝Ｇ1と、この縦溝Ｇ1を横切る横溝Ｇ2とを設け、この軸部分１１１をシャフト１２０の先端１２０ａに開口された内部通路１２１に挿入すると同時に該内部通路１２１を溶融・凝固させて軸部分１１１を固定保持してなるから、ブラシ１１０の軸部分１１１に設けた縦溝Ｇ1がシャフト１２０に対するブラシ１１０の回転を抑制すると共にブラシ１１０の軸部分１１１に設けた横溝Ｇ2がブラシ１１０のシャフト１２０からの抜けを抑制する。従って、かかる構成によれば、ブラシ１１０の回転によるシャフト１２０からの抜け出しが生じないブラシ１１０が抜け難く耐久性に優れたマスカラ塗布具を提供することができる。
【００１８】
また本形態は、ブラシ１１０の軸部分１１１の断面形状が長手幅Ｗ1及び短手幅Ｗ2からなる扁平な断面形状となっている。この場合、ブラシ１１０の軸部分１１１はシャフト１２０に対して一層回転しにくくなるため、さらにブラシ１１０が抜け難く耐久性に優れたマスカラ塗布具を提供することができる。
【００１９】
さらに軸部分１１１に縦溝Ｇ1及び横溝Ｇ2を設けるに際しては、切削・モールド等の加工手段が挙げられるが、本発明においては、軸部分１１１が比較的小径であるため、プレス加工が好ましい。かかる加工により縦溝Ｇ1及び横溝Ｇ2を設ければ、扁平断面形状も同時に形成することができるから、歩留まり率が高く、安定した精度の量産が可能となるため、マスカラ塗布具を安価に提供することができる。さらに縦溝Ｇ1及び横溝Ｇ2の個数は、本形態に限るものではなく、それぞれが少なくとも１つあればよい。
【００２０】
本発明では、縦溝Ｇ1及び横溝Ｇ2は少なくとも１つ設けられていればその個数は使用条件等に併せて適宜変更できる。また本形態では、軸部分１１１に縦溝Ｇ1及び横溝Ｇ2を設けたが、線Ｏ1周りを放射状に突出した縦リブ又は横リブとし、溝及びリブを適宜組み合わせて使用してもよい。
【００２１】
さらに本形態では、縦溝Ｇ1の溝深さＤ1と、横溝Ｇ2の溝深さＤ2とを同等の深さにしているが、溝深さＤ1及びＤ2の相対関係は、適宜変更することができる。例えば、シャフト１２０に対するブラシ１１０の回転を優先して抑制する場合には、縦溝Ｇ1の溝深さＤ1を横溝Ｇ2の溝深さＤ2よりも深く設定し、或いは、シャフト１２０からのブラシ１１０の抜けを優先して抑制する場合には、縦溝Ｇ1の溝深さＤ1を横溝Ｇ2の溝深さＤ2よりも浅く設定する。
【００２２】
ところで、本発明の第二の実施形態としては、図７，８に示すものがある。図７は、シャフト１２０から分解した他のブラシ２１０の側面を示す側面図であり、図８（ａ），（ｂ）はそれぞれ、図７の領域Ｚを示す要部拡大図及びそのＣ−Ｃ断面図である。ブラシ２１０も、第一の実施形態と同様、ステンレス鋼等の金属からなる軸部分２１１を有し、その先端にナイロン等からなる複数の針状突起を四角柱状に設けてなる。但し、本形態では、軸部分２１１は、その軸線Ｏ2に対してくの字状に曲がった２つの曲げ部分２１２を備え、その断面形状は、図８（ｂ）に示す如く、軸線Ｏ2に対して均等な軌跡を描く真円形状をしてなる。
【００２３】
かかる構成において、ブラシ２１０の軸部分２１１全体またはその先端を加熱して図５に示すシャフト１２０の内部通路１２１に挿入すると、内部通路１２１の傾斜面１２２が溶融してその樹脂が曲げ部分２１２を覆って凝固することにより軸部分２１１が固定保持される。
【００２４】
つまり、本形態は、ブラシ２１０の軸部分２１１に、その軸線Ｏ2に対してくの字状に曲がった曲げ部分２１２を設け、この軸部分２１１をシャフト１２０の先端１２０ａに開口された内部通路１２１に挿入すると同時に内部通路１２１を溶融・凝固させて軸部分２１１を固定保持してなるから、ブラシ２１０の軸部分２１１に設けた曲げ部分２１２がシャフト１２０に対するブラシ２１０の回転とブラシ２１０のシャフト１２０からの抜けを抑制する。従って、かかる構成によっても、ブラシ２１０の回転によるシャフト１２０からの抜け出しが生じないブラシ２１０が抜け難く耐久性に優れたマスカラ塗布具を提供することができる。
【００２５】
また本形態も、ブラシ２１０の軸部分２１１の断面形状を長手幅Ｗ1及び短手幅Ｗ2からなる扁平な断面形状としてもよい。この場合も、ブラシ２１０の軸部分２１１はシャフト１２０に対して一層回転しにくくなるため、さらにブラシ２１０が抜け難く耐久性に優れたマスカラ塗布具を提供することができる。
【００２６】
なお、本形態も、曲げ部分２１２は少なくとも１つ設けられていればその個数は使用条件等に併せて適宜変更できる。
【００２７】
上述したところは、本発明の好適な形態を示したに過ぎず、請求の範囲において、種々の変更を加えることができる。例えば、本発明に係るブラシの軸部分は、図９の斜視図に示す如く、１つのワイヤー１０を折り曲げてその相互間に複数の針状突起を挟み込み、その重なり合ったワイヤー１０を撚り合わせてブラシの軸部分１１１又は２１１として、これにさらに前述の加工を加えたものとしているが、針状突起を挟み込まず、１本のワイヤーの先端に塗布部を形成しさらに該塗布部に毛を静電植毛するタイプのブラシやその他公知のブラシ部構成に代えてもよい。この場合も、縦及び横溝Ｇ1，Ｇ2又は曲げ部分を設けたことにより、従来と比べて、ブラシの回転によるシャフト１２０からの抜け出しが生じず、ブラシが抜け難く耐久性に優れることは明らかである。なお、ブラシの断面形状も四角柱状に限らず、真円形状や楕円形状他各種公知の形状が選択可能である。
【図面の簡単な説明】
【００２８】
【図１】本発明の第一の実施形態であるマスカラ塗布具を示す正面図である。
【図２】（ａ），（ｂ）はそれぞれ、シャフトから分解したブラシの側面及びその先端を示す二面図である。
【図３】図２（ａ）の領域Ｘを示す要部拡大図である。
【図４】（ａ），（ｂ）それぞれ、図３のＡ−Ａ断面図及びＢ−Ｂ断面図である。
【図５】同形態において、ブラシを取り付ける前の塗布具の半組立体を示す一部断面図である。
【図６】図５の領域Ｙを示す要部拡大図である。
【図７】本発明の第二の実施形態であって、シャフトから分解した他のブラシの側面を示す側面図である。
【図８】（ａ），（ｂ）はそれぞれ、図７の領域Ｚを示す要部拡大図及びそのＣ−Ｃ断面図である。
【図９】ブラシの軸部分の一部拡大を示す斜視図である。
【符号の説明】
【００２９】
100    マスカラ塗布具
110    ブラシ
111    軸部分
120    シャフト
121    内部通路
130    把持部
210    ブラシ
211    軸部分
212    曲げ部分
Ｇ1    縦溝
Ｇ2    横溝
【図１】
2005177075.tif 000003
【図２】
2005177075.tif 000004
【図３】
2005177075.tif 000005
【図４】
2005177075.tif 000006
【図５】
2005177075.tif 000007
【図６】
2005177075.tif 000008
【図７】
2005177075.tif 000009
【図８】
2005177075.tif 000010
【図９】
2005177075.tif 000011